(57)【要約】【課題】媒体に定着させた電子回路チップが剥離されることを防止できる電子回路チップ定着装置及び画像形成装置を提供すること。【解決手段】電波を介してデータの送受信をする少なくとも１つの電子回路チップを収容するチップ収容部１０２と、チップ収容部１０２に収容された電子回路チップを定着させるチップ定着部１０８と、を備え、電子回路チップを媒体に定着させる被覆剤を媒体の表面に施された模様の少なくとも一部を構成するように塗布する。【選択図】　図１
2004078760.tif 000002
【特許請求の範囲】
【請求項１】
電波を介してデータの送受信をする少なくとも１つの電子回路チップを収容するチップ収容部と、
前記チップ収容部に収容された電子回路チップを媒体の表面に施された模様の少なくとも一部を構成するように定着させるチップ定着部と、
を備えたことを特徴とする電子回路チップ定着装置。
【請求項２】
前記電子回路チップを定着させる被覆剤の色を示す被覆剤色情報を格納する色情報格納部と、
格納された被覆剤色情報に基づいて前記媒体上の一部の領域を抽出する領域抽出部と、を備え、
前記チップ定着部が、前記領域抽出部によって抽出された抽出領域に前記電子回路チップを定着させるようにしたことを特徴とする請求項１に記載の電子回路チップ定着装置。
【請求項３】
前記媒体の表面から領域を指定する領域指定部を備え、
前記チップ定着部が、前記領域指定部によって指定された指定領域に施された模様の少なくとも一部を構成するように前記電子回路チップを定着させるようにしたことを特徴とする請求項１に記載の電子回路チップ定着装置。
【請求項４】
前記電子回路チップを定着させた被覆剤を前記指定領域に施された模様で着色する被覆剤着色部を備えたことを特徴とする請求項３に記載の電子回路チップ定着装置。
【請求項５】
利用者を識別する利用者識別情報を取得する識別情報取得部と、
前記チップ収容部に収容された電子回路チップから前記利用者識別情報が格納された電子回路チップを選択するチップ選択部と、を備え、
前記チップ定着部が、選択された電子回路チップを前記媒体に定着させるようにしたことを特徴とする請求項１乃至請求項４の何れかに記載の電子回路チップ定着装置。
【請求項６】
利用者を識別する利用者識別情報を取得する識別情報取得部と、
取得された利用者識別情報を前記電子回路チップに書込むチップ書込み部と、を備え、
前記チップ定着部が、前記利用者識別情報が書込まれた電子回路チップを前記媒体に定着させるようにしたことを特徴とする請求項１乃至請求項４の何れかに記載の電子回路チップ定着装置。
【請求項７】
記録媒体に画像を記録する画像記録部と、
電波を介してデータの送受信をする少なくとも１つの電子回路チップを収容するチップ収容部と、
前記チップ収容部に収容された電子回路チップを前記記録媒体に定着させるチップ定着部と、
を備えたことを特徴とする画像形成装置。
【請求項８】
前記チップ定着部が、記録媒体に記録する画像の少なくとも一部を構成するように定着させるようにしたことを特徴とする請求項７記載の画像形成装置。
【請求項９】
前記電子回路チップを定着させる被覆剤の色を示す被覆剤色情報を格納する色情報格納部と、
格納された被覆剤色情報に基づいて前記記録媒体に記録する画像の一部の領域を抽出する領域抽出部と、を備え、
前記チップ定着部が、前記領域抽出部によって抽出された抽出領域が記録される前記記録媒体の領域上に前記電子回路チップを定着させるようにしたことを特徴とする請求項８に記載の画像形成装置。
【請求項１０】
前記記録媒体に記録する画像の一部の領域を指定する領域指定部を備え、
前記チップ定着部が、前記領域指定部によって指定された指定領域の画像が記録される前記記録媒体の領域に施された模様の少なくとも一部を構成するように前記電子回路チップを前記記録媒体に定着させるようにしたことを特徴とする請求項８に記載の画像形成装置。
【請求項１１】
前記電子回路チップを定着させた被覆剤を前記指定領域の画像に基づいて着色する被覆剤着色部を備えたことを特徴とする請求項１０に記載の画像形成装置。
【請求項１２】
電波を介してデータの送受信をする少なくとも１つの電子回路チップを収容するチップ収容部と、
収容された電子回路チップを前記記録媒体に定着させるチップ定着部と、
電子回路チップが定着された記録媒体に画像を記録する画像記録部と、
を備えたことを特徴とする画像形成装置。
【請求項１３】
利用者を識別する利用者識別情報を取得する識別情報取得部と、
前記チップ収容部に収容された電子回路チップから前記利用者識別情報が格納された電子回路チップを選択するチップ選択部と、を備え、
前記チップ定着部が、選択された電子回路チップを前記記録媒体に定着させるようにしたことを特徴とする請求項７乃至請求項１２の何れかに記載の画像形成装置。
【請求項１４】
利用者を識別する利用者識別情報を取得する識別情報取得部と、
取得された利用者識別情報を前記電子回路チップに書込むチップ書込み部と、を備え、
前記チップ定着部が、前記利用者識別情報が書込まれた電子回路チップを前記記録媒体に定着させるようにしたことを特徴とする請求項７乃至請求項１２の何れかに記載の画像形成装置。
【請求項１５】
媒体の表面に施された模様を読込んで画像データを生成するステップと、
電波を介してデータの送受信をする少なくとも１つの電子回路チップを生成された画像データに基づいて前記媒体の表面に施された模様の少なくとも一部を構成するように前記媒体に定着させるステップと、
を備えたことを特徴とする電子回路チップ定着方法。
【請求項１６】
記録媒体に画像を記録するステップと、
電波を介してデータの送受信をする少なくとも１つの電子回路チップを記録媒体に記録する画像の少なくとも一部を構成するように前記記録媒体に定着させるステップと、
を備えたことを特徴とする電子回路チップ定着方法。
【発明の詳細な説明】
【０００１】
【発明の属する技術分野】
本発明は、電波を介してデータの送受信をする電子回路チップを媒体に定着させる電子回路チップ定着装置及び画像形成装置に関するものである。
【０００２】
【従来の技術】
従来、紙やプラスチックカード等の記録媒体に通信機能を備えた電子回路チップを定着させて記録媒体の不正使用や改ざん等を防止する試みがなされている。
例えば、特開２００２−２０３２２０号公報では、電子線により硬化する化合物を含む電子線硬化型成分を主成分とした封止剤により電子回路チップを記録媒体に定着させる技術が開示されている。
【０００３】
【発明が解決しようとする課題】
しかしながら、このような従来の技術では、記録媒体に定着させた電子回路チップが目視で識別できてしまうため、意図的に電子回路チップを剥離することが容易であるといった問題があった。
【０００４】
本発明は、このような問題を解決するためになされたもので、媒体に定着させた電子回路チップが剥離されることを防止できる電子回路チップ定着装置及び画像形成装置を提供するものである。
【０００５】
【課題を解決するための手段】
本発明の請求項１に係る電子回路チップ定着装置は、電波を介してデータの送受信をする少なくとも１つの電子回路チップを収容するチップ収容部と、前記チップ収容部に収容された電子回路チップを媒体の表面に施された模様の少なくとも一部を構成するように定着させるチップ定着部と、を備えた構成を有している。
【０００６】
この構成により、電子回路チップが媒体の模様の一部又は全部を構成するように媒体に定着されることによって、定着された電子回路チップが目視により識別できなくなるため、媒体に定着させた電子回路チップが剥離されることを防止できる。
【０００７】
本発明の請求項２に係る電子回路チップ定着装置は、請求項１において、前記電子回路チップを定着させる被覆剤の色を示す被覆剤色情報を格納する色情報格納部と、格納された被覆剤色情報に基づいて前記媒体上の一部の領域を抽出する領域抽出部と、を備え、前記チップ定着部が、前記領域抽出部によって抽出された抽出領域に前記電子回路チップを定着させるようにした構成を有している。
【０００８】
この構成により、被覆剤の色と同じ色又は近似している色が配色されている領域が媒体に施されている模様から抽出され、抽出された領域に電子回路チップが定着されることによって、定着された電子回路チップが目視により識別できなくなるため、媒体に定着させた電子回路チップが剥離されることを防止できる。
【０００９】
本発明の請求項３に係る電子回路チップ定着装置は、請求項１において、前記媒体の表面から領域を指定する領域指定部を備え、前記チップ定着部が、前記領域指定部によって指定された指定領域に施された模様の少なくとも一部を構成するように前記電子回路チップを定着させるようにした構成を有している。
【００１０】
この構成により、媒体の指定された領域に電子回路チップを定着させた被覆剤が媒体の模様の一部又は全部を構成することによって、定着された電子回路チップが目視により識別できなくなるため、媒体に定着させた電子回路チップが剥離されることを防止できる。
【００１１】
本発明の請求項４に係る電子回路チップ定着装置は、請求項３において、前記電子回路チップを定着させた被覆剤を前記指定領域に施された模様で着色する被覆剤着色部を備えた構成を有している。
【００１２】
この構成により、媒体に施されている模様と同じ模様になるように被覆剤が着色されることによって、定着された電子回路チップが目視により識別できなくなるため、電子回路チップの大きさに影響されることなく、媒体に定着させた電子回路チップが剥離されることを防止できる。
【００１３】
本発明の請求項５に係る電子回路チップ定着装置は、請求項１乃至請求項４の何れかにおいて、利用者を識別する利用者識別情報を取得する識別情報取得部と、前記チップ収容部に収容された電子回路チップから前記利用者識別情報が格納された電子回路チップを選択するチップ選択部と、を備え、前記チップ定着部が、選択された電子回路チップを前記媒体に定着させるようにした構成を有している。
【００１４】
この構成により、利用者特定情報が格納された電子回路チップが媒体の模様の一部又は全部を構成するように媒体に定着されることによって、定着された電子回路チップが目視により識別できなくなるため、媒体に定着させた電子回路チップが剥離されることを防止でき、媒体に電子回路チップを定着させた利用者を特定できる。
【００１５】
本発明の請求項６に係る電子回路チップ定着装置は、請求項１乃至請求項４の何れかにおいて、利用者を識別する利用者識別情報を取得する識別情報取得部と、取得された利用者識別情報を前記電子回路チップに書込むチップ書込み部と、を備え、前記チップ定着部が、前記利用者識別情報が書込まれた電子回路チップを前記媒体に定着させるようにした構成を有している。
【００１６】
この構成により、利用者特定情報が書込まれた電子回路チップが媒体の模様の一部又は全部を構成するように媒体に定着されることによって、定着された電子回路チップが目視により識別できなくなるため、媒体に定着させた電子回路チップが剥離されることを防止でき、媒体に電子回路チップを定着させた利用者を特定できる。
【００１７】
本発明の請求項７に係る画像形成装置は、記録媒体に画像を記録する画像記録部と、電波を介してデータの送受信をする少なくとも１つの電子回路チップを収容するチップ収容部と、前記チップ収容部に収容された電子回路チップを前記記録媒体に定着させるチップ定着部と、を備えた構成を有している。
【００１８】
この構成により、画像が記録された記録媒体に電子回路チップを定着させるため、記録媒体に画像が不正に記録されることを防止できる。
【００１９】
本発明の請求項８に係る画像形成装置は、請求項７において、前記チップ定着部が、記録媒体に記録する画像の少なくとも一部を構成するように定着させるようにした構成を有している。
【００２０】
この構成により、電子回路チップが記録媒体の模様の一部又は全部を構成するように記録媒体に定着されることによって、定着された電子回路チップが目視により識別できなくなるため、記録媒体に定着させた電子回路チップが剥離されることを防止できる。
【００２１】
本発明の請求項９に係る画像形成装置は、請求項８において、前記電子回路チップを定着させる被覆剤の色を示す被覆剤色情報を格納する色情報格納部と、格納された被覆剤色情報に基づいて前記記録媒体に記録する画像の一部の領域を抽出する領域抽出部と、を備え、前記チップ定着部が、前記領域抽出部によって抽出された抽出領域が記録される前記記録媒体の領域上に前記電子回路チップを定着させるようにした構成を有している。
【００２２】
この構成により、被覆剤の色と同じ色又は近似している色を配色する記録媒体の領域が抽出され、抽出された領域に電子回路チップが定着されることによって、定着された電子回路チップが目視により識別できなくなるため、記録媒体に定着させた電子回路チップが剥離されることを防止できる。
【００２３】
本発明の請求項１０に係る画像形成装置は、請求項８において、前記記録媒体に記録する画像の一部の領域を指定する領域指定部を備え、前記チップ定着部が、前記領域指定部によって指定された指定領域の画像が記録される前記記録媒体の領域に施された模様の少なくとも一部を構成するように前記電子回路チップを前記記録媒体に定着させるようにした構成を有している。
【００２４】
この構成により、電子回路チップが記録媒体の指定された領域に施す模様の一部又は全部を構成するように記録媒体に定着されることによって、定着された電子回路チップが目視により識別できなくなるため、記録媒体に定着させた電子回路チップが剥離されることを防止できる。
【００２５】
本発明の請求項１１に係る画像形成装置は、請求項１０において、前記電子回路チップを定着させた被覆剤を前記指定領域の画像に基づいて着色する被覆剤着色部を備えた構成を有している。
【００２６】
この構成により、記録媒体に記録する画像と同様な画像が被覆剤に記録されるため、従来の電子回路チップを記録媒体に定着されることによって、定着された電子回路チップが目視により識別できなくなるため、電子回路チップの大きさに影響されることなく、記録媒体に定着させた電子回路チップが剥離されることを防止できる。
【００２７】
本発明の請求項１２に係る画像形成装置は、電波を介してデータの送受信をする少なくとも１つの電子回路チップを収容するチップ収容部と、収容された電子回路チップを前記記録媒体に定着させるチップ定着部と、電子回路チップが定着された記録媒体に画像を記録する画像記録部と、を備えた構成を有している。
【００２８】
この構成により、記録媒体に被覆剤を塗布した後に画像が記録されることによって、定着された電子回路チップが剥離された場合には目視により剥離された部分が識別できるため、記録媒体に定着させた電子回路チップが剥離されることを防止できる。
【００２９】
本発明の請求項１３に係る画像形成装置は、請求項７乃至請求項１２の何れかにおいて、利用者を識別する利用者識別情報を取得する識別情報取得部と、前記チップ収容部に収容された電子回路チップから前記利用者識別情報が格納された電子回路チップを選択するチップ選択部と、を備え、前記チップ定着部が、選択された電子回路チップを前記記録媒体に定着させるようにした構成を有している。
【００３０】
この構成により、利用者特定情報が格納された電子回路チップが記録媒体の模様の一部又は全部を構成するように記録媒体に定着されることによって、定着された電子回路チップが目視により識別できなくなるため、記録媒体に定着させた電子回路チップが剥離されることを防止でき、媒体に電子回路チップを定着させた利用者を特定できる。
【００３１】
本発明の請求項１４に係る画像形成装置は、請求項７乃至請求項１２の何れかにおいて、利用者を識別する利用者識別情報を取得する識別情報取得部と、取得された利用者識別情報を前記電子回路チップに書込むチップ書込み部と、を備え、前記チップ定着部が、前記利用者識別情報が書込まれた電子回路チップを前記記録媒体に定着させるようにした構成を有している。
【００３２】
この構成により、利用者特定情報が書込まれた電子回路チップが記録媒体の模様の一部又は全部を構成するように記録媒体に定着されることによって、定着された電子回路チップが目視により識別できなくなるため、記録媒体に定着させた電子回路チップが剥離されることを防止でき、媒体に電子回路チップを定着させた利用者を特定できる。
【００３３】
本発明の請求項１５に係る電子回路チップ定着方法は、媒体の表面に施された模様を読込んで画像データを生成するステップと、電波を介してデータの送受信をする少なくとも１つの電子回路チップを生成された画像データに基づいて前記媒体の表面に施された模様の少なくとも一部を構成するように前記媒体に定着させるステップと、を有している。
【００３４】
この方法により、電子回路チップが媒体の模様の一部又は全部を構成するように媒体に定着されることによって、定着された電子回路チップが目視により識別できなくなるため、媒体に定着させた電子回路チップが剥離されることを防止できる。
【００３５】
本発明の請求項１６に係る電子回路チップ定着方法は、記録媒体に画像を記録するステップと、電波を介してデータの送受信をする少なくとも１つの電子回路チップを記録媒体に記録する画像の少なくとも一部を構成するように前記記録媒体に定着させるステップと、を有している。
【００３６】
この方法により、電子回路チップが記録媒体の模様の一部又は全部を構成するように記録媒体に定着されることによって、定着された電子回路チップが目視により識別できなくなるため、記録媒体に定着させた電子回路チップが剥離されることを防止できる。
【００３７】
【発明の実施の形態】
以下、本発明の実施の形態を図面に基づいて説明する。
【００３８】
（第１の実施の形態）
図１は、本発明の第１の実施の形態に係る電子回路チップ定着装置の構成を示すブロック図である。
【００３９】
本発明の第１の実施の形態に係る電子回路チップ定着装置１００は、媒体固定部１０１と、チップ収容部１０２と、被覆剤収容部１０３と、被覆剤色設定部１０４と、色情報格納部１０５と、模様読込み部１０６と、領域抽出部１０７と、チップ定着部１０８と、利用者に情報を表示する表示部１９０と、利用者に情報を入力させる操作部１９１と、によって構成され、チップ収容部１０２に収容された電子回路チップを媒体固定部１０１に固定された媒体、すなわち被定着媒体に定着させるようになっている。
【００４０】
ここで、被定着媒体は、紙やプラスチックカード等のように平面的な媒体に限定されるものではなく立体的な媒体も含み、表面に模様が施されている物体であればよい。また、ここでいう模様とは、文字や色彩も含む。
【００４１】
チップ収容部１０２は、電波を介してデータの送受信をする少なくとも１つの電子回路チップを収容できるようになっており、収容された電子回路チップをチップ定着部１０８に搬送するようになっている。
【００４２】
被覆剤収容部１０３は、電子回路チップを被定着媒体に定着させる被覆剤を収容し、収容された被覆剤をチップ定着部１０８に供給するようになっている。
被覆剤色設定部１０４は、操作部１９１を介して利用者に被覆剤の色を示す情報、すなわち被覆剤色情報を設定させ、設定された被覆剤色情報を色情報格納部１０５に出力するようになっている。
【００４３】
被覆剤色設定部１０４によって出力された被覆剤色情報は、色情報格納部１０５に入力されるようになっており、色情報格納部１０５は、入力された被覆剤色情報を格納するようになっている。なお、色情報格納部１０５は、不揮発性メモリ等の記憶媒体によって構成される。
【００４４】
模様読込み部１０６は、スキャナによって構成され、被定着媒体の表面に施されている模様を読込んで画像データを生成し、生成された画像データを領域抽出部１０７に出力するようになっている。
【００４５】
模様読込み部１０６によって出力された画像データは、領域抽出部１０７に入力されるようになっており、領域抽出部１０７は、入力された画像データから、色情報格納部１０５に格納された被覆剤色情報に示される色と同じ色又は近似している色が配色されている領域の抽出、すなわち色領域抽出を行うようになっている。
【００４６】
ここで、領域抽出部１０７は、入力された画像データの各画素に対応する色情報を生成し、生成された生成色情報と被覆剤色情報との差分が予め定められた差分閾値以下か否かを判定し、被覆剤色情報との差分が差分閾値以下と判定された生成色情報と対応する画素で形成される抽出領域を抽出するようになっている。
【００４７】
色領域抽出において、複数の抽出領域が抽出された場合や広範囲の抽出領域が抽出された場合には、抽出領域を絞るために、領域抽出部１０７は、表示部１９０に抽出領域を示す情報を表示させ、利用者に操作部１９１を介して抽出領域を絞らせるようになっている。
【００４８】
一方、色領域抽出において、電子回路チップを定着させる範囲より狭い抽出領域が抽出された場合には、領域抽出部１０７は、表示部１９０に抽出領域が狭い旨を表示させ、利用者に操作部１９１を介して差分閾値を再設定させ、再設定された差分閾値に基づいて再び色領域抽出を行うようになっている。
【００４９】
このように、領域抽出部１０７は、前述した色領域抽出を行って抽出された抽出領域を示す抽出領域情報を生成し、生成された抽出領域情報をチップ定着部１０８に出力するようになっている。
【００５０】
領域抽出部１０７によって出力された抽出領域情報は、チップ定着部１０８に入力されるようになっており、チップ定着部１０８は、チップ収容部１０２によって搬送された電子回路チップを入力された抽出領域情報に示される領域に基づいて媒体固定部１０１に固定された被定着媒体上に配置し、被覆剤収容部１０３によって供給された被覆剤を塗布して定着させるようになっている。
【００５１】
ここで、チップ定着部１０８は、被定着媒体に電子回路チップを定着させる他に、被定着媒体の表面に施されている模様の少なくとも一部を形成するように広範囲に被覆剤を塗布するようにしてもよい。これにより、塗布された被覆剤と被定着媒体の表面に施されている模様とが視覚的に同化して見えるため、記録媒体に定着させた電子回路チップが剥離されることを防止できる。
【００５２】
次に、電子回路チップ定着装置１００の動作をフローチャートに基づいて説明する。
電子回路チップ定着装置１００を動作させるに先立って、利用者又は管理者等によって、以下に示す準備が行われているものとする。
チップ収容部１０２には、電波を介してデータの送受信をする少なくとも１つの電子回路チップを収容する。
【００５３】
また、被覆剤収容部１０３には、電子回路チップを被定着媒体に定着させる被覆剤を収容し、操作部１９１を介して被覆剤色設定部１０４に被覆剤色情報を設定することによって色情報格納部１０５に被覆剤色情報を格納する。
以上に示された準備が完了している状態で、被定着媒体を媒体固定部１０１に固定させ、電子回路チップ定着装置１００を動作させる。
【００５４】
図２は、電子回路チップ定着装置１００の動作を示すフローチャートである。
まず、被定着媒体の表面に施されている模様が模様読込み部１０６によって読込まれ、画像データが生成される（Ｓ２１１）。
次に、領域抽出部１０７によって生成された画像データから色領域抽出が行われる（Ｓ２１２）。
【００５５】
ここで、複数の抽出領域が抽出された場合や広範囲の抽出領域が抽出された場合には（Ｓ２１３）、抽出領域を絞るために、表示部１９０に抽出領域を示す情報が表示され（Ｓ２１４）、利用者に操作部１９１を介して抽出領域を絞らせる（Ｓ２１５）。
【００５６】
一方、電子回路チップを定着させる範囲より狭い抽出領域が抽出された場合には（Ｓ２１６）、表示部１９０に抽出領域が狭い旨が表示され（Ｓ２１７）、利用者に操作部１９１を介して差分閾値を再設定させ（Ｓ２１８）、再設定された差分閾値に基づいて再び色領域抽出が行われる（Ｓ２１２）。
【００５７】
次に、チップ定着部１０８によって、チップ収容部１０２から搬送された電子回路チップが色領域抽出の結果に基づいて被定着媒体上に配置され、配置された電子回路チップが被覆剤収容部１０３によって供給された被覆剤によって定着される（Ｓ２２０）。
【００５８】
このように、電子回路チップ定着装置１００によれば、被覆剤の色と同じ色又は近似している色が配色されている領域が媒体に施されている模様から抽出され、抽出された領域に電子回路チップが定着されることによって、定着された電子回路チップが目視により識別できなくなるため、媒体に定着させた電子回路チップが剥離されることを防止できる。
【００５９】
（第２の実施の形態）
図２は、本発明の第２の実施の形態に係る電子回路チップ定着装置の構成を示すブロック図である。
【００６０】
本発明の第２の実施の形態に係る電子回路チップ定着装置３００は、媒体固定部１０１と、チップ収容部１０２と、被覆剤収容部１０３と、模様読込み部１０６と、領域指定部３０７と、チップ定着部１０８と、被覆剤着色部３０９と、利用者に情報を表示する表示部１９０と、利用者に情報を入力させる操作部１９１と、によって構成され、チップ収容部１０２に収容された電子回路チップを媒体固定部１０１に固定された媒体、すなわち被定着媒体に定着させるようになっている。
【００６１】
ここで、被定着媒体は、紙やプラスチックカード等のように平面的な媒体に限定されるものではなく立体的な媒体も含み、表面に模様が施されている物体であればよい。また、ここでいう模様とは、文字や色彩も含む。
【００６２】
なお、本発明の第２の実施の形態に係る電子回路チップ定着装置３００においては、本発明の第１の実施の形態に係る電子回路チップ定着装置１００の構成要素と同一の構成要素に本発明の第１の実施の形態に係る電子回路チップ定着装置１００の構成要素と同一の符号を付して、その説明を省略する。
【００６３】
模様読込み部１０６によって出力された画像データは、領域指定部３０７に入力されるようになっており、領域指定部３０７は、特定の領域の指定、すなわち特定領域指定を行うようになっている。
【００６４】
ここで、領域指定部３０７における特定領域指定では、以下に示す２通りの処理が行えるようになっており、利用者は、操作部１９１を介して処理を選択できるようになっている。
【００６５】
第１の特定領域指定では、領域指定部３０７は、表示部１９０に入力された画像データに基づいて画像を表示させ、利用者に操作部１９１を介して電子回路チップを定着させる領域及び被覆剤を塗布する領域を指定させるようになっている。
【００６６】
第２の特定領域指定では、領域指定部３０７は、予め定められた特定情報が記録されている領域を画像データから抽出して指定する。特定情報として、例えば、被定着媒体がキャッシュカードの場合には、カード番号等であり、被定着媒体が紙幣の場合には、紙幣番号等である。これらの特定情報は、図示しない記憶媒体に予め被定着媒体の種類と対応させた領域情報として登録されているようにしてもよいし、画像データから数字情報等を認識するようにしてもよい。
【００６７】
また、領域指定部３０７は、第２の特定領域指定において、複数の領域が抽出された場合、広範囲の領域が抽出された場合、または、電子回路チップを定着させる範囲より狭い領域が抽出された場合には、第１の特定領域指定に切り換えるようにしてもよい。
【００６８】
このように、領域指定部３０７は、前述した特定領域指定を行って指定された領域の情報及び指定された領域の画像データを含む指定領域情報を生成し、生成された指定領域情報を被覆剤着色部３０９及びチップ定着部１０８に出力するようになっている。
【００６９】
領域指定部３０７によって出力された指定領域情報は、被覆剤着色部３０９に入力されるようになっており、被覆剤着色部３０９は、入力された指定領域情報に含まれる領域の情報及び画像データに基づいて、チップ定着部１０８によって塗布された被覆剤を着色するようになっている。
【００７０】
次に、電子回路チップ定着装置３００の動作をフローチャートに基づいて説明する。
電子回路チップ定着装置３００を動作させるに先立って、利用者又は管理者等によって、以下に示す準備が行われているものとする。
【００７１】
チップ収容部１０２には、電波を介してデータの送受信をする少なくとも１つの電子回路チップを収容し、被覆剤収容部１０３には、電子回路チップを被定着媒体に定着させる被覆剤を収容する。
以上に示された準備が完了している状態で、被定着媒体を媒体固定部１０１に固定させ、電子回路チップ定着装置３００を動作させる。
【００７２】
図４は、電子回路チップ定着装置３００の動作を示すフローチャートである。なお、電子回路チップ定着装置３００の動作において、本発明の第１の実施の形態で説明した電子回路チップ定着装置１００の動作におけるステップと同様のステップには、同一の符号が付してある。
まず、被定着媒体の表面に施されている模様が模様読込み部１０６によって読込まれ、画像データが生成される（Ｓ２１１）。
次に、利用者に操作部１９１を介して特定領域指定の処理を選択させる（Ｓ４１２）。
【００７３】
ここで、第１の特定領域指定、すなわち利用者が手動で指定する場合には（Ｓ４１３）、読込まれた画像に基づいて表示部１９０に画像が表示され（Ｓ４１４）、利用者に操作部１９１を介して電子回路チップを定着させる領域及び被覆剤を塗布する領域を指定させる（Ｓ４１５）。
【００７４】
一方、第２の特定領域指定場合には（Ｓ４１３）、領域抽出部１０７によって、予め定められた特定情報が記録されている領域が画像データから抽出して指定される（Ｓ４１７）。
【００７５】
次に、チップ定着部１０８によって、チップ収容部１０２から搬送された電子回路チップが特定領域指定の結果に基づいて被定着媒体上に配置され、配置された電子回路チップが被覆剤収容部１０３によって供給された被覆剤によって定着される（Ｓ２２０）。
【００７６】
次に、被覆剤着色部３０９によって、特定領域指定の結果に基づいてチップ定着部１０８によって塗布された被覆剤が着色される（Ｓ４２１）。
【００７７】
このように、電子回路チップ定着装置３００によれば、媒体に施されている模様と同じ模様になるように被覆剤が着色されることによって、定着された電子回路チップが目視により識別できなくなるため、電子回路チップの大きさに影響されることなく、媒体に定着させた電子回路チップが剥離されることを防止できる。
【００７８】
（第３の実施の形態）
図５は、本発明の第３の実施の形態に係る電子回路チップ定着装置の構成を示すブロック図である。
【００７９】
本発明の第３の実施の形態に係る電子回路チップ定着装置５００は、前述した本発明の第１の実施の形態に係る電子回路チップ定着装置１００を構成する構成要素に加えて、利用者を特定するための利用者識別情報を取得する識別情報取得部５０９と、チップ収容部１０２に収容された電子回路チップから利用者識別情報が格納された電子回路チップを選択するチップ選択部５１０とを備えている。ここで、利用者識別情報とは、利用者の識別子、指紋及び網膜パターン等の個人を識別するための少なくとも１つの情報である。
【００８０】
なお、本発明の第３の実施の形態に係る電子回路チップ定着装置５００においては、本発明の第１の実施の形態に係る電子回路チップ定着装置１００の構成要素と同一の構成要素に本発明の第１の実施の形態に係る電子回路チップ定着装置１００の構成要素と同一の符号を付して、その説明を省略する。
【００８１】
識別情報取得部５０９は、利用者識別情報を取得し、取得された利用者識別情報をチップ選択部５１０に出力するようになっている。
識別情報取得部５０９は、例えば、利用者識別情報として識別子を適用する場合には、ＩＤカードリーダー等によって構成され、利用者識別情報として指紋を適用する場合には、指紋検出器によって構成される。
【００８２】
識別情報取得部５０９によって出力された利用者識別情報は、チップ選択部５１０に入力されるようになっており、チップ選択部５１０は、チップ収容部１０２に収容された電子回路チップの中から入力された利用者識別情報を示す情報が格納されている電子回路チップを選択し、選択された電子回路チップをチップ収容部１０２に搬送させるようになっている。
【００８３】
ここで、チップ選択部５１０は、チップ収容部１０２に電子回路チップが収容されたときに、収容された電子回路チップに格納されている情報を読取り、読取った情報を予め格納しておくようにしてもよいし、電子回路チップの選択時に、チップ収容部１０２に電子回路チップを搬送させ、搬送された電子回路チップから情報を読取るようにしてもよい。
【００８４】
次に、電子回路チップ定着装置５００の動作をフローチャートに基づいて説明する。
電子回路チップ定着装置５００を動作させるに先立って、利用者又は管理者等によって、以下に示す準備が行われているものとする。
チップ収容部１０２には、利用者特定情報が予め格納され、電波を介してデータの送受信をする少なくとも１つの電子回路チップを収容する。
【００８５】
また、被覆剤収容部１０３には、電子回路チップを被定着媒体に定着させる被覆剤を収容し、操作部１９１を介して被覆剤色設定部１０４に被覆剤色情報を設定することによって色情報格納部１０５に被覆剤色情報を格納する。
以上に示された準備が完了している状態で、被定着媒体を媒体固定部１０１に固定させ、電子回路チップ定着装置５００を動作させる。
【００８６】
図６は、電子回路チップ定着装置５００の動作を示すフローチャートである。なお、電子回路チップ定着装置５００の動作において、本発明の第１の実施の形態で説明した電子回路チップ定着装置１００の動作におけるステップと同様のステップには、同一の符号が付してある。
【００８７】
まず、識別情報取得部５０９によって利用者識別情報が取得され（Ｓ６０１）、取得された利用者識別情報を格納した電子回路チップがチップ収容部１０２に収容された電子回路チップからチップ選択部５１０によって選択される（Ｓ６０２）。
【００８８】
次に、取得された利用者識別情報を格納した電子回路チップが選択できなかった場合（Ｓ６０３）には、動作が終了され、取得された利用者識別情報を格納した電子回路チップが選択された場合（Ｓ６０３）には、被定着媒体の表面に施されている模様が模様読込み部１０６によって読込まれ、画像データが生成され（Ｓ２１１）、領域抽出部１０７によって生成された画像データから色領域抽出が行われる（Ｓ２１２）。
【００８９】
ここで、複数の抽出領域が抽出された場合や広範囲の抽出領域が抽出された場合には（Ｓ２１３）、抽出領域を絞るために、表示部１９０に抽出領域を示す情報が表示され（Ｓ２１４）、利用者に操作部１９１を介して抽出領域を絞らせる（Ｓ２１５）。
【００９０】
一方、電子回路チップを定着させる範囲より狭い抽出領域が抽出された場合には（Ｓ２１６）、表示部１９０に抽出領域が狭い旨が表示され（Ｓ２１７）、利用者に操作部１９１を介して差分閾値を再設定させ（Ｓ２１８）、再設定された差分閾値に基づいて再び色領域抽出が行われる（Ｓ２１２）。
【００９１】
次に、チップ定着部１０８によって、チップ選択部５１０によって選択された電子回路チップが色領域抽出の結果に基づいて被定着媒体上に配置され、配置された電子回路チップが被覆剤収容部１０３によって供給された被覆剤によって定着される（Ｓ２２０）。
【００９２】
このように、電子回路チップ定着装置５００によれば、被覆剤の色と同じ色又は近似している色が配色されている領域が媒体に施されている模様から抽出され、抽出された領域に利用者特定情報が格納された電子回路チップが定着されることによって、定着された電子回路チップが目視により識別できなくなるため、媒体に定着させた電子回路チップが剥離されることを防止でき、媒体に電子回路チップを定着させた利用者を特定できる。
【００９３】
なお、本発明は、本発明の第２の実施の形態で説明した電子回路チップ定着装置３００を構成する構成要素に加えて、識別情報取得部５０９と、チップ選択部５１０とを備えることができるが、本発明の第３の実施の形態に係る電子回路チップ定着装置５００に基づいて容易に実施できるため、その説明を省略する。
【００９４】
（第４の実施の形態）
図７は、本発明の第４の実施の形態に係る電子回路チップ定着装置の構成を示すブロック図である。
【００９５】
本発明の第４の実施の形態に係る電子回路チップ定着装置７００は、前述した電子回路チップ定着装置１００を構成する構成要素に加えて、利用者を特定するための利用者識別情報を取得する識別情報取得部５０９と、取得された利用者識別情報をチップ収容部１０２からチップ定着部１０８に搬送される電子回路チップに書込むチップ書込み部７１１とを備えている。
【００９６】
なお、本発明の第４の実施の形態に係る電子回路チップ定着装置７００においては、本発明の第３の実施の形態に係る電子回路チップ定着装置５００の構成要素と同一の構成要素に本発明の第３の実施の形態に係る電子回路チップ定着装置５００の構成要素と同一の符号を付して、その説明を省略する。
【００９７】
識別情報取得部５０９によって出力された利用者識別情報は、チップ書込み部７１１に入力されるようになっており、チップ書込み部７１１は、入力された利用者識別情報をチップ収容部１０２からチップ定着部１０８に搬送される電子回路チップに書込むようになっている。
【００９８】
次に、電子回路チップ定着装置７００の動作をフローチャートに基づいて説明する。
電子回路チップ定着装置７００を動作させるに先立って、利用者又は管理者等によって、以下に示す準備が行われているものとする。
チップ収容部１０２には、電波を介してデータの送受信をする少なくとも１つの電子回路チップを収容する。
【００９９】
また、被覆剤収容部１０３には、電子回路チップを被定着媒体に定着させる被覆剤を収容し、操作部１９１を介して被覆剤色設定部１０４に被覆剤色情報を設定することによって色情報格納部１０５に被覆剤色情報を格納する。
以上に示された準備が完了している状態で、被定着媒体を媒体固定部１０１に固定させ、電子回路チップ定着装置７００を動作させる。
【０１００】
図８は、電子回路チップ定着装置７００の動作を示すフローチャートである。なお、電子回路チップ定着装置７００の動作において、本発明の第３の実施の形態で説明した電子回路チップ定着装置５００の動作におけるステップと同様のステップには、同一の符号が付してある。
【０１０１】
まず、識別情報取得部５０９によって利用者識別情報が取得され（Ｓ６０１）、取得された利用者識別情報がチップ収容部１０２からチップ定着部１０８に搬送される電子回路チップにチップ書込み部７１１によって書込まれる（Ｓ８０２）。
【０１０２】
次に、被定着媒体の表面に施されている模様が模様読込み部１０６によって読込まれ、画像データが生成され（Ｓ２１１）、領域抽出部１０７によって生成された画像データから色領域抽出が行われる（Ｓ２１２）。
【０１０３】
ここで、複数の抽出領域が抽出された場合や広範囲の抽出領域が抽出された場合には（Ｓ２１３）、抽出領域を絞るために、表示部１９０に抽出領域を示す情報が表示され（Ｓ２１４）、利用者に操作部１９１を介して抽出領域を絞らせる（Ｓ２１５）。
【０１０４】
一方、電子回路チップを定着させる範囲より狭い抽出領域が抽出された場合には（Ｓ２１６）、表示部１９０に抽出領域が狭い旨が表示され（Ｓ２１７）、利用者に操作部１９１を介して差分閾値を再設定させ（Ｓ２１８）、再設定された差分閾値に基づいて再び色領域抽出が行われる（Ｓ２１２）。
【０１０５】
次に、チップ定着部１０８によって、チップ書込み部７１１によって利用者特定情報が書込まれた電子回路チップが色領域抽出の結果に基づいて被定着媒体上に配置され、配置された電子回路チップが被覆剤収容部１０３によって供給された被覆剤によって定着される（Ｓ２２０）。
【０１０６】
このように、電子回路チップ定着装置７００によれば、被覆剤の色と同じ色又は近似している色が配色されている領域が媒体に施されている模様から抽出され、抽出された領域に利用者特定情報が書込まれた電子回路チップが定着されることによって、定着された電子回路チップが目視により識別できなくなるため、媒体に定着させた電子回路チップが剥離されることを防止でき、媒体に電子回路チップを定着させた利用者を特定できる。
【０１０７】
なお、本発明は、本発明の第２の実施の形態で説明した電子回路チップ定着装置３００を構成する構成要素に加えて、識別情報取得部５０９と、チップ書込み部７１１とを備えることができるが、本発明の第４の実施の形態に係る電子回路チップ定着装置７００に基づいて容易に実施できるため、その説明を省略する。
【０１０８】
（第５の実施の形態）
図９は、本発明の第５の実施の形態に係る画像形成装置の構成を示すブロック図である。ここで、本発明の第５の実施の形態に係る画像形成装置は、ファクシミリ装置、複写機、プリンタ装置、及び複合機等を含む。
【０１０９】
本発明の第５の実施の形態に係る画像形成装置９００は、チップ収容部１０２と、被覆剤収容部１０３と、被覆剤色設定部１０４と、色情報格納部１０５と、画像データ取得部９０６と、領域抽出部１０７と、画像記録部９２０と、チップ定着部９０８と、利用者に情報を表示する表示部１９０と、利用者に情報を入力させる操作部１９１と、によって構成され、チップ収容部１０２に収容された電子回路チップを紙やプラスチックカード等の記録媒体、すなわち被定着媒体に定着させるようになっている。
【０１１０】
なお、本発明の第５の実施の形態に係る画像形成装置９００においては、本発明の第１の実施の形態に係る電子回路チップ定着装置１００の構成要素と同一の構成要素に本発明の第１の実施の形態に係る電子回路チップ定着装置１００の構成要素と同一の符号を付して、その説明を省略する。
【０１１１】
画像データ取得部９０６は、画像形成装置９００をファクシミリ装置として適用する場合には、図示しない通信回線を介して他のファクシミリ装置等から画像データを受信して取得するようになっている。
【０１１２】
また、画像データ取得部９０６は、画像形成装置９００を複写機として適用する場合には、スキャナによって構成され、記録媒体に記録されたデータを読取り、画像データを取得するようになっている。
【０１１３】
また、画像データ取得部９０６は、画像形成装置９００をプリンタ装置として適用する場合には、図示しない通信回線を介してパーソナルコンピュータ等の画像データ生成機器から画像データを受信して取得するようになっている。
画像データ取得部９０６は、以上のように取得された画像データを、領域抽出部１０７及び画像記録部９２０に出力するようになっている。
【０１１４】
画像データ取得部９０６によって出力された画像データは、画像記録部９２０に入力されるようになっており、画像記録部９２０は、入力された画像データに基づいて被定着媒体に画像を記録し、画像を記録した被定着媒体をチップ定着部９０８に搬送するようになっている。
【０１１５】
領域抽出部１０７によって出力された抽出領域情報は、チップ定着部９０８に入力されるようになっており、チップ定着部９０８は、チップ収容部１０２によって搬送された電子回路チップを入力された抽出領域情報に示される領域に基づいて画像記録部９２０から搬送された被定着媒体上に配置し、被覆剤収容部１０３によって供給された被覆剤を塗布して定着させるようになっている。
【０１１６】
ここで、チップ定着部９０８は、被定着媒体に電子回路チップを定着させる他に、被定着媒体の表面に施されている模様の少なくとも一部を形成するように被覆剤を塗布するようにしてもよい。これにより、塗布された被覆剤と被定着媒体の表面に施されている模様とが視覚的に同化して見えるため、記録媒体に定着させた電子回路チップが剥離されることを防止できる。
【０１１７】
次に、画像形成装置９００の動作をフローチャートに基づいて説明する。
画像形成装置９００を動作させるに先立って、利用者又は管理者等によって、以下に示す準備が行われているものとする。
チップ収容部１０２には、電波を介してデータの送受信をする少なくとも１つの電子回路チップを収容する。
【０１１８】
また、被覆剤収容部１０３には、電子回路チップを被定着媒体に定着させる被覆剤を収容し、操作部１９１を介して被覆剤色設定部１０４に被覆剤色情報を設定することによって色情報格納部１０５に被覆剤色情報を格納する。
以上に示された準備が完了している状態で、画像形成装置９００を動作させる。
【０１１９】
図１０は、画像形成装置９００の動作を示すフローチャートである。なお、画像形成装置９００の動作において、本発明の第１の実施の形態で説明した電子回路チップ定着装置１００の動作におけるステップと同様のステップには、同一の符号が付してある。
【０１２０】
まず、画像データが画像データ取得部９０６によって取得され（Ｓ１０１１）、取得された画像データから色領域抽出が行われる（Ｓ２１２）。
ここで、複数の抽出領域が抽出された場合や広範囲の抽出領域が抽出された場合には（Ｓ２１３）、抽出領域を絞るために、表示部１９０に抽出領域を示す情報が表示され（Ｓ２１４）、利用者に操作部１９１を介して抽出領域を絞らせる（Ｓ２１５）。
【０１２１】
一方、電子回路チップを定着させる範囲より狭い抽出領域が抽出された場合には（Ｓ２１６）、表示部１９０に抽出領域が狭い旨が表示され（Ｓ２１７）、利用者に操作部１９１を介して差分閾値を再設定させ（Ｓ２１８）、再設定された差分閾値に基づいて再び色領域抽出が行われる（Ｓ２１２）。
【０１２２】
次に、画像データ取得部９０６によって取得された画像データに基づいて画像記録部９２０によって被定着媒体に画像が記録される（Ｓ１０１９）。
次に、チップ定着部９０８によって、画像記録部９２０から搬送された電子回路チップが色領域抽出の結果に基づいて被定着媒体上に配置され、配置された電子回路チップが被覆剤収容部１０３によって供給された被覆剤によって定着される（Ｓ１０２０）。
【０１２３】
このように、画像形成装置９００によれば、被覆剤の色と同じ色又は近似している色を配色する記録媒体の領域が抽出され、抽出された領域に電子回路チップが定着されることによって、定着された電子回路チップが目視により識別できなくなるため、記録媒体に定着させた電子回路チップが剥離されることを防止できる。
【０１２４】
（第６の実施の形態）
図１１は、本発明の第６の実施の形態に係る画像形成装置の構成を示すブロック図である。ここで、本発明の第６の実施の形態に係る画像形成装置は、ファクシミリ装置、複写機、プリンタ装置、及び複合機等を含む。
【０１２５】
本発明の第６の実施の形態に係る画像形成装置１１００は、チップ収容部１０２と、被覆剤収容部１０３と、被覆剤色設定部１０４と、画像データ取得部９０６と、領域指定部１１０７と、チップ定着部９０８と、被覆剤着色部１１０９と、画像記録部９２０と、利用者に情報を表示する表示部１９０と、利用者に情報を入力させる操作部１９１と、によって構成され、チップ収容部１０２に収容された電子回路チップを紙やプラスチックカード等の記録媒体、すなわち被定着媒体に定着させるようになっている。
【０１２６】
なお、本発明の第６の実施の形態に係る画像形成装置１１００においては、本発明の第５の実施の形態に係る画像形成装置９００の構成要素と同一の構成要素に本発明の第５の実施の形態に係る画像形成装置９００の構成要素と同一の符号を付して、その説明を省略する。
【０１２７】
画像データ取得部９０６によって出力された画像データは、領域指定部１１０７に入力されるようになっており、領域指定部１１０７は、特定の領域の指定、すなわち特定領域指定を行うようになっている。
【０１２８】
ここで、領域指定部１１０７における特定領域指定では、以下に示す２通りの処理を行えるようになっており、利用者は、操作部１９１を介して処理を選択できるようになっている。
【０１２９】
第１の特定領域指定では、領域指定部１１０７は、表示部１９０に入力された画像データに基づいて画像を表示させ、利用者に操作部１９１を介して電子回路チップを定着させる領域及び被覆剤を塗布する領域を指定させるようになっている。
【０１３０】
第２の特定領域指定では、領域指定部１１０７は、予め定められた特定情報が記録されている領域を画像データから抽出して指定する。特定情報として、例えば、被定着媒体がキャッシュカードの場合には、カード番号等であり、被定着媒体が紙幣の場合には、紙幣番号等である。これらの特定情報は、図示しない記憶媒体に予め被定着媒体の種類と対応させた位置情報として登録されているようにしてもよいし、画像データから数字情報等を認識するようにしてもよい。
【０１３１】
また、領域指定部１１０７は、第２の特定領域指定において、複数の領域が抽出された場合、広範囲の領域が抽出された場合、または、電子回路チップを定着させる範囲より狭い領域が抽出された場合には、第１の特定領域指定に切り換えるようにしてもよい。
【０１３２】
このように、領域指定部１１０７は、前述した特定領域指定を行って指定された領域の情報及び指定された領域の画像データを示す指定領域情報を生成し、生成された指定領域情報を被覆剤着色部１１０９及びチップ定着部９０８に出力するようになっている。
【０１３３】
領域指定部１１０７によって出力された指定領域情報は、被覆剤着色部１１０９に入力されるようになっており、被覆剤着色部１１０９は、入力された指定領域情報に含まれる領域の情報及び画像データに基づいて、チップ定着部９０８によって塗布された被覆剤を着色するようになっている。
【０１３４】
次に、画像形成装置１１００の動作をフローチャートに基づいて説明する。
画像形成装置１１００を動作させるに先立って、利用者又は管理者等によって、以下に示す準備が行われているものとする。
【０１３５】
チップ収容部１０２には、電波を介してデータの送受信をする少なくとも１つの電子回路チップを収容し、被覆剤収容部１０３には、電子回路チップを被定着媒体に定着させる被覆剤を収容する。
以上に示された準備が完了している状態で、画像形成装置１１００を動作させる。
【０１３６】
図１２は、画像形成装置１１００の動作を示すフローチャートである。なお、画像形成装置１１００の動作において、本発明の第５の実施の形態で説明した画像形成装置９００の動作におけるステップと同様のステップには、同一の符号が付してある。
まず、画像データが画像データ取得部９０６によって取得される（Ｓ１０１１）。
次に、利用者に操作部１９１を介して特定領域指定の処理を選択させる。（Ｓ１２１２）。
【０１３７】
ここで、第１の特定領域指定、すなわち利用者が手動で指定する場合には（Ｓ１２１３）、読込まれた画像に基づいて表示部１９０に画像が表示され（Ｓ１２１４）、利用者に操作部１９１を介して電子回路チップを定着させる領域及び被覆剤を塗布する領域を指定させる（Ｓ１２１５）。
【０１３８】
一方、第２の特定領域指定場合には（Ｓ１２１３）、領域指定部１１０７によって、予め定められた特定情報が記録されている領域が画像データから抽出して指定される（Ｓ１２１７）。
【０１３９】
次に、画像データ取得部９０６によって取得された画像データに基づいて画像記録部９２０によって被定着媒体に画像が記録される（Ｓ１０１９）。
次に、チップ定着部９０８によって、画像記録部９２０から搬送された電子回路チップが特定領域指定の結果に基づいて被定着媒体上に配置され、配置された電子回路チップが被覆剤収容部１０３によって供給された被覆剤によって定着される（Ｓ１０２０）。
【０１４０】
次に、被覆剤着色部１１０９によって、特定領域指定の結果に基づいてチップ定着部９０８によって塗布された被覆剤が着色される（Ｓ１２２１）。
【０１４１】
このように、画像形成装置１１００によれば、記録媒体に記録する画像と同様な画像が被覆剤に記録されるため、従来の電子回路チップを媒体に定着されることによって、定着された電子回路チップが目視により識別できなくなるため、電子回路チップの大きさに影響されることなく、記録媒体に定着させた電子回路チップが剥離されることを防止できる。
【０１４２】
（第７の実施の形態）
図１３は、本発明の第７の実施の形態に係る画像形成装置の構成を示すブロック図である。ここで、本発明の第７の実施の形態に係る画像形成装置は、ファクシミリ装置、複写機、プリンタ装置、及び複合機等を含む。
【０１４３】
本発明の第７の実施の形態に係る画像形成装置１３００は、チップ収容部１０２と、被覆剤収容部１０３と、画像データ取得部９０６と、領域指定部１１０７と、チップ定着部９０８と、画像記録部９２０と、利用者に情報を表示する表示部１９０と、利用者に情報を入力させる操作部１９１と、によって構成され、チップ収容部１０２に収容された電子回路チップを紙やプラスチックカード等の記録媒体、すなわち被定着媒体に定着させるようになっている。
【０１４４】
なお、本発明の第７の実施の形態に係る画像形成装置１３００においては、本発明の第６の実施の形態に係る画像形成装置１１００の構成要素と同一の構成要素に本発明の第６の実施の形態に係る画像形成装置１１００の構成要素と同一の符号を付して、その説明を省略する。
【０１４５】
前述した画像形成装置１１００は、記録媒体に画像を記録した後に、電子回路チップを定着させるようになっているが画像形成装置１３００は、記録媒体に電子回路チップを定着させた後に、画像を記録するようになっている。
【０１４６】
画像形成装置１３００においては、被覆剤は、画像記録部９２０によって記録媒体と共に着色されるため、画像形成装置１３００は、画像形成装置１１００を構成する被覆剤着色部１１０９を有していない。
【０１４７】
図１４は、画像形成装置１３００によって電子回路チップが定着され、画像が記録された記録媒体の様子を示す例図であり、記録画像１４０１に電子回路チップが被覆剤１４０２によって定着されている例を示している。
【０１４８】
この例の場合に、被覆剤１４０２を電子回路チップと共に剥離した記録画像１４０３は、被覆剤１４０２が剥離された領域１４０４が浮き立ち、視覚的に識別可能となる。
【０１４９】
次に、画像形成装置１３００の動作をフローチャートに基づいて説明する。
画像形成装置１３００を動作させるに先立って、前述した画像形成装置１１００の動作で説明した準備と同一の準備が完了しているものとする。
【０１５０】
図１５は、画像形成装置１３００の動作を示すフローチャートである。なお、画像形成装置１３００の動作において、本発明の第６の実施の形態で説明した画像形成装置１１００の動作におけるステップと同様のステップには、同一の符号が付してある。
まず、画像データが画像データ取得部９０６によって取得される（Ｓ１０１１）。
次に、利用者に操作部１９１を介して特定領域指定の処理が選択される。（Ｓ１２１２）。
【０１５１】
ここで、第１の特定領域指定、すなわち利用者が手動で指定する場合には（Ｓ１２１３）、読込まれた画像に基づいて表示部１９０に画像が表示され（Ｓ１２１４）、利用者に操作部１９１を介して電子回路チップを定着させる領域及び被覆剤を塗布する領域（Ｓ１２１５）。
【０１５２】
一方、第２の特定領域指定場合には（Ｓ１２１３）、領域指定部１１０７によって、予め定められた特定情報が記録されている領域が画像データから抽出して指定される（Ｓ１２１７）。
【０１５３】
次に、チップ定着部９０８によって、チップ収容部１０２から搬送された電子回路チップが特定領域指定の結果に基づいて被定着媒体上に配置され、配置された電子回路チップが被覆剤収容部１０３によって供給された被覆剤によって定着される（Ｓ１０２０）。
次に、画像データ取得部９０６によって取得された画像データに基づいて画像記録部９２０によって被定着媒体に画像が記録される（Ｓ１０１９）。
【０１５４】
このように、画像形成装置１３００によれば、記録媒体に被覆剤を塗布した後に画像が記録されることによって、定着された電子回路チップが剥離された場合には目視により剥離された部分が識別できるため、記録媒体に定着させた電子回路チップが剥離されることを防止できる。
【０１５５】
（第８の実施の形態）
図１６は、本発明の第８の実施の形態に係る画像形成装置の構成を示すブロック図である。ここで、本発明の第８の実施の形態に係る画像形成装置は、ファクシミリ装置、複写機、プリンタ装置、及び複合機等を含む。
【０１５６】
本発明の第８の実施の形態に係る画像形成装置１６００は、前述した本発明の第５の実施の形態に係る画像形成装置９００を構成する構成要素に加えて、利用者を特定するための利用者識別情報を取得する識別情報取得部１６０９と、チップ収容部１０２に収容された電子回路チップから利用者識別情報が格納された電子回路チップを選択するチップ選択部１６１０とを備えている。ここで、利用者識別情報とは、利用者の識別子、指紋及び網膜パターン等の個人を識別するための少なくとも１つの情報である。
【０１５７】
なお、本発明の第８の実施の形態に係る画像形成装置１６００においては、本発明の第５の実施の形態に係る画像形成装置９００の構成要素と同一の構成要素に本発明の第５の実施の形態に係る画像形成装置９００の構成要素と同一の符号を付して、その説明を省略する。
【０１５８】
識別情報取得部１６０９は、利用者識別情報を取得し、取得された利用者識別情報をチップ選択部１６１０に出力するようになっている。
識別情報取得部１６０９は、例えば、利用者識別情報として識別子を適用する場合には、ＩＤカードリーダー等によって構成され、利用者識別情報として指紋を適用する場合には、指紋検出器によって構成される。
【０１５９】
識別情報取得部１６０９によって出力された利用者識別情報は、チップ選択部１６１０に入力されるようになっており、チップ選択部１６１０は、チップ収容部１０２に収容された電子回路チップの中から入力された利用者識別情報を示す情報が格納されている電子回路チップを選択し、選択された電子回路チップをチップ収容部１０２に搬送させるようになっている。
【０１６０】
ここで、チップ選択部１６１０は、チップ収容部１０２に電子回路チップが収容されたときに、収容された電子回路チップに格納されている情報を読取り、読取った情報を予め格納しておくようにしてもよいし、電子回路チップの選択時に、チップ収容部１０２に電子回路チップを搬送させ、搬送された電子回路チップから情報を読取るようにしてもよい。
【０１６１】
次に、画像形成装置１６００の動作をフローチャートに基づいて説明する。
画像形成装置１６００を動作させるに先立って、利用者又は管理者等によって、以下に示す準備が行われているものとする。
チップ収容部１０２には、利用者特定情報が予め格納され、電波を介してデータの送受信をする少なくとも１つの電子回路チップを収容する。
【０１６２】
また、被覆剤収容部１０３には、電子回路チップを被定着媒体に定着させる被覆剤を収容し、操作部１９１を介して被覆剤色設定部１０４に被覆剤色情報を設定することによって色情報格納部１０５に被覆剤色情報を格納する。
以上に示された準備が完了している状態で、画像形成装置１６００を動作させる。
【０１６３】
図１７は、画像形成装置１６００の動作を示すフローチャートである。なお、画像形成装置１６００の動作において、本発明の第５の実施の形態で説明した画像形成装置９００の動作におけるステップと同様のステップには、同一の符号が付してある。
【０１６４】
まず、識別情報取得部１６０９によって利用者識別情報が取得され（Ｓ１７０１）、取得された利用者識別情報を格納した電子回路チップがチップ収容部１０２に収容された電子回路チップからチップ選択部１６１０によって選択される（Ｓ１７０２）。
【０１６５】
次に、取得された利用者識別情報を格納した電子回路チップが選択できなかった場合（Ｓ１７０３）には、動作が終了され、取得された利用者識別情報を格納した電子回路チップが選択された場合（Ｓ１７０３）には、画像データが画像データ取得部９０６によって取得され（Ｓ１０１１）、取得された画像データから色領域抽出が行われる（Ｓ２１２）。
【０１６６】
ここで、複数の抽出領域が抽出された場合や広範囲の抽出領域が抽出された場合には（Ｓ２１３）、抽出領域を絞るために、表示部１９０に抽出領域を示す情報が表示され（Ｓ２１４）、利用者に操作部１９１を介して抽出領域を絞らせる（Ｓ２１５）。
【０１６７】
一方、電子回路チップを定着させる範囲より狭い抽出領域が抽出された場合には（Ｓ２１６）、表示部１９０に抽出領域が狭い旨が表示され（Ｓ２１７）、利用者に操作部１９１を介して差分閾値を再設定させ（Ｓ２１８）、再設定された差分閾値に基づいて再び色領域抽出が行われる（Ｓ２１２）。
【０１６８】
次に、画像データ取得部９０６によって取得された画像データに基づいて画像記録部９２０によって被定着媒体に画像が記録される（Ｓ１０１９）。
次に、チップ定着部９０８によって、チップ収容部１０２から搬送された電子回路チップが色領域抽出の結果に基づいて被定着媒体上に配置され、配置された電子回路チップが被覆剤収容部１０３によって供給された被覆剤によって定着される（Ｓ１０２０）。
【０１６９】
なお、ステップＳ１７０３において、取得された利用者識別情報を格納した電子回路チップが選択できなかった場合には、画像データ取得部９０６によって取得された画像データに基づいて画像記録部９２０によって被定着媒体に画像が記録され（Ｓ１０１９）、被定着媒体に電子回路チップが定着されずに動作が終了するようにしてもよい。
【０１７０】
このように、画像形成装置１６００によれば、被覆剤の色と同じ色又は近似している色を配色する記録媒体の領域が抽出され、抽出された領域に利用者特定情報が格納された電子回路チップが定着されることによって、定着された電子回路チップが目視により識別できなくなるため、記録媒体に定着させた電子回路チップが剥離されることを防止でき、媒体に電子回路チップを定着させた利用者を特定できる。
【０１７１】
なお、本発明は、本発明の第６の実施の形態又は第７の実施の形態で説明した画像形成装置１１００、１３００を構成する構成要素に加えて、識別情報取得部１６０９と、チップ選択部１６１０とをそれぞれ備えることができるが、本発明の第８の実施の形態に係る画像形成装置１６００に基づいて容易に実施できるため、その説明を省略する。
【０１７２】
（第９の実施の形態）
図１８は、本発明の第９の実施の形態に係る画像形成装置の構成を示すブロック図である。ここで、本発明の第９の実施の形態に係る画像形成装置は、ファクシミリ装置、複写機、プリンタ装置、及び複合機等を含む。
【０１７３】
本発明の第９の実施の形態に係る画像形成装置１８００は、前述した画像形成装置９００を構成する構成要素に加えて、利用者を特定するための利用者識別情報を取得する識別情報取得部１６０９と、取得された利用者識別情報をチップ収容部１０２からチップ定着部９０８に搬送される電子回路チップに書込むチップ書込み部１８１１とを備えている。
【０１７４】
なお、本発明の第９の実施の形態に係る画像形成装置１８００においては、本発明の第８の実施の形態に係る画像形成装置１６００の構成要素と同一の構成要素に本発明の第８の実施の形態に係る画像形成装置１６００の構成要素と同一の符号を付して、その説明を省略する。
【０１７５】
識別情報取得部１６０９によって出力された利用者識別情報は、チップ書込み部１８１１に入力されるようになっており、チップ書込み部１８１１は、入力された利用者識別情報をチップ収容部１０２からチップ定着部９０８に搬送される電子回路チップに書込むようになっている。
【０１７６】
次に、画像形成装置１８００の動作をフローチャートに基づいて説明する。
画像形成装置１８００を動作させるに先立って、利用者又は管理者等によって、以下に示す準備が行われているものとする。
チップ収容部１０２には、電波を介してデータの送受信をする少なくとも１つの電子回路チップを収容する。
【０１７７】
また、被覆剤収容部１０３には、電子回路チップを被定着媒体に定着させる被覆剤を収容し、操作部１９１を介して被覆剤色設定部１０４に被覆剤色情報を設定することによって色情報格納部１０５に被覆剤色情報を格納する。
以上に示された準備が完了している状態で、画像形成装置１８００を動作させる。
【０１７８】
図１９は、画像形成装置１８００の動作を示すフローチャートである。なお、画像形成装置１８００の動作において、本発明の第８の実施の形態で説明した画像形成装置１６００の動作におけるステップと同様のステップには、同一の符号が付してある。
【０１７９】
まず、識別情報取得部１６０９によって利用者識別情報が取得され（Ｓ１７０１）、取得された利用者識別情報がチップ収容部１０２からチップ定着部９０８に搬送される電子回路チップにチップ書込み部１８１１によって書込まれる（Ｓ１９０２）。
【０１８０】
次に、画像データが画像データ取得部９０６によって取得され（Ｓ１０１１）、取得された画像データから色領域抽出が行われる（Ｓ２１２）。
【０１８１】
ここで、複数の抽出領域が抽出された場合や広範囲の抽出領域が抽出された場合には（Ｓ２１３）、抽出領域を絞るために、表示部１９０に抽出領域を示す情報が表示され（Ｓ２１４）、利用者に操作部１９１を介して抽出領域を絞らせる（Ｓ２１５）。
【０１８２】
一方、電子回路チップを定着させる範囲より狭い抽出領域が抽出された場合には（Ｓ２１６）、表示部１９０に抽出領域が狭い旨が表示され（Ｓ２１７）、利用者に操作部１９１を介して差分閾値を再設定させ（Ｓ２１８）、再設定された差分閾値に基づいて再び色領域抽出が行われる（Ｓ２１２）。
【０１８３】
次に、画像データ取得部９０６によって取得された画像データに基づいて画像記録部９２０によって被定着媒体に画像が記録される（Ｓ１０１９）。
次に、チップ定着部９０８によって、チップ書込み部１８１１によって利用者特定情報が書込まれた電子回路チップが色領域抽出の結果に基づいて被定着媒体上に配置され、配置された電子回路チップが被覆剤収容部１０３によって供給された被覆剤によって定着される（Ｓ１０２０）。
【０１８４】
このように、画像形成装置１８００によれば、被覆剤の色と同じ色又は近似している色を配色する記録媒体の領域が抽出され、抽出された領域に利用者特定情報が書込まれた電子回路チップが定着されることによって、定着された電子回路チップが目視により識別できなくなるため、記録媒体に定着させた電子回路チップが剥離されることを防止でき、媒体に電子回路チップを定着させた利用者を特定できる。
【０１８５】
なお、本発明は、本発明の第６の実施の形態又は第７の実施の形態で説明した画像形成装置１１００、１３００を構成する構成要素に加えて、識別情報取得部１６０９と、チップ書込み部１８１１とをそれぞれ備えることができるが、本発明の第９の実施の形態に係る画像形成装置１８００に基づいて容易に実施できるため、その説明を省略する。
【０１８６】
【発明の効果】
以上説明したように、本発明は、媒体に定着させた電子回路チップが剥離されることを防止できる電子回路チップ定着装置及び画像形成装置を提供することができる。
【図面の簡単な説明】
【図１】本発明の第１の実施の形態に係る電子回路チップ定着装置の構成を示すブロック図である。
【図２】本発明の第１の実施の形態に係る電子回路チップ定着装置の動作を示すフローチャートである。
【図３】本発明の第２の実施の形態に係る電子回路チップ定着装置の構成を示すブロック図である。
【図４】本発明の第２の実施の形態に係る電子回路チップ定着装置の動作を示すフローチャートである。
【図５】本発明の第３の実施の形態に係る電子回路チップ定着装置の構成を示すブロック図である。
【図６】本発明の第３の実施の形態に係る電子回路チップ定着装置の動作を示すフローチャートである。
【図７】本発明の第４の実施の形態に係る電子回路チップ定着装置の構成を示すブロック図である。
【図８】本発明の第４の実施の形態に係る電子回路チップ定着装置の動作を示すフローチャートである。
【図９】本発明の第５の実施の形態に係る画像形成装置の構成を示すブロック図である。
【図１０】本発明の第５の実施の形態に係る画像形成装置の動作を示すフローチャートである。
【図１１】本発明の第６の実施の形態に係る画像形成装置の構成を示すブロック図である。
【図１２】本発明の第６の実施の形態に係る画像形成装置の動作を示すフローチャートである。
【図１３】本発明の第７の実施の形態に係る画像形成装置の構成を示すブロック図である。
【図１４】本発明の第７の実施の形態に係る画像形成装置によって電子回路チップが定着され画像が記録された記録媒体の様子を示す例図である。
【図１５】本発明の第７の実施の形態に係る画像形成装置の動作を示すフローチャートである。
【図１６】本発明の第８の実施の形態に係る画像形成装置の構成を示すブロック図である。
【図１７】本発明の第８の実施の形態に係る画像形成装置の動作を示すフローチャートである。
【図１８】本発明の第９の実施の形態に係る画像形成装置の構成を示すブロック図である。
【図１９】本発明の第９の実施の形態に係る画像形成装置の動作を示すフローチャートである。
【符号の説明】
１００、３００、５００、７００　電子回路チップ定着装置
１０１　媒体固定部
１０２　チップ収容部
１０３　被覆剤収容部
１０４　被覆剤色設定部
１０５　色情報格納部
１０６　模様読込み部
１０７　領域抽出部
１０８、９０８　チップ定着部
１９０　表示部
１９１　操作部
３０７、１１０７　領域指定部
３０９、１１０９　被覆剤着色部
５０９、１６０９　識別情報取得部
５１０、１６１０　チップ選択部
７１１、１８１１　チップ書込み部
９００、１１００、１３００、１６００、１８００　画像形成装置
９０６　画像データ取得部
９２０　画像記録部
１４０１、１４０３　記録画像
１４０２　被覆剤
１４０４　被覆剤が剥離された領域
【図１】
2004078760.tif 000003
【図２】
2004078760.tif 000004
【図３】
2004078760.tif 000005
【図４】
2004078760.tif 000006
【図５】
2004078760.tif 000007
【図６】
2004078760.tif 000008
【図７】
2004078760.tif 000009
【図８】
2004078760.tif 000010
【図９】
2004078760.tif 000011
【図１０】
2004078760.tif 000012
【図１１】
2004078760.tif 000013
【図１２】
2004078760.tif 000014
【図１３】
2004078760.tif 000015
【図１４】
2004078760.tif 000016
【図１５】
2004078760.tif 000017
【図１６】
2004078760.tif 000018
【図１７】
2004078760.tif 000019
【図１８】
2004078760.tif 000020
【図１９】
2004078760.tif 000021